(57)【要約】【課題】補強リブを下にした状態で使用する通常使用時は勿論、補強リブを上にした状態で使用する上下逆使い時においてもデッキプレート同士の連結が解除されるおそれがないデッキプレートを提供する。【解決手段】水平プレート２に立上り部３ａを介して補強リブ３が形成されているデッキプレートにおいて、一方の端部には、水平プレート２を補強リブ３側に折り曲げることによりＵ字状のフランジ１ａが形成され、他方の端部の補強リブ３の立上り部３ａには、補強リブ３を下にした状態で使用する場合において、連結する別のデッキプレートのフランジ１ａが嵌合する嵌合部１ｂが形成され、嵌合部１ｂには、補強リブ３を上にした状態で使用する場合において、連結する別のデッキプレート１のフランジ１ａが係合する逆Ｕ字状の係合部４が形成されている。【選択図】図１
2019143426.tif 000002
【特許請求の範囲】
【請求項１】
水平プレートに立上り部を介して補強リブが形成されているデッキプレートにおいて、
一方の端部には、前記水平プレートを前記補強リブ側に折り曲げることによりフランジが形成され、他方の端部の前記補強リブの前記立上り部には、連結する別のデッキプレートの前記フランジが嵌合する嵌合部が形成され、前記嵌合部には、連結する別のデッキプレートの前記フランジが係合する係合部が形成されていることを特徴とするデッキプレート。
【請求項２】
前記フランジは、前記補強リブを下にした場合、Ｕ字状になるように形成されていることを特徴とする、請求項１に記載のデッキプレート。
【請求項３】
前記係合部は、前記補強リブを下にした場合、逆Ｕ字状になるように形成されていることを特徴とする、請求項１または２に記載のデッキプレート。
【請求項４】
前記デッキプレートは、フラットデッキプレートであることを特徴とする、請求項１から３の何れか１つに記載のデッキプレート。
【請求項５】
前記デッキプレートは、合成スラブ用デッキプレートであることを特徴とする、請求項１から３の何れか１つに記載のデッキプレート。
【発明の詳細な説明】
【技術分野】
【０００１】
この発明は、デッキプレート、特に、補強リブを下にして使用する通常使用時は勿論、補強リブを上にして使用する上下逆使い時においても、デッキプレート同士の連結が解除されることなく、確実にデッキプレート同士を連結することができるデッキプレートに関するものである。
【背景技術】
【０００２】
例えば、フラットデッキプレートは、鉄筋コンクリート床を構築する際に捨型枠材として使用される。図６に示すように、従来フラットデッキプレートＡは、水平プレート（スラブ支持部）１２に、立上り部１３ａを有する断面三角形状の補強リブ１３が複数本（この例では、３本）、間隔をあけて平行に形成されたものから構成されている。
【０００３】
従来フラットデッキプレートＡの一方の端部には、水平プレート１２を補強リブ１３側に直角に折り曲げることによりフランジ１１ａが形成され、他方の端部の補強リブ１３の立上がり部１３ａには、嵌合部１１ｂが形成されている。
【０００４】
従来フラットデッキプレートＡ同士を連結するには、同図に示すように、一方の従来フラットデッキプレートＡの嵌合部１１ｂに、他方の従来フラットデッキプレートＡのフランジ１１ａを挿入する。
【０００５】
このようにして複数枚の従来フラットデッキプレートＡ同士を連結した後、同図に示すように、従来フラットデッキプレートＡ上に鉄筋（図示せず）を配し、この後、コンクリート１４を打設して鉄筋コンクリート床１５を構築する。
【０００６】
このようにして構築される鉄筋コンクリート床１５において、図７に示すように、耐火間仕切り壁１６を構築する場合、耐火間仕切り壁１６が交差する部分の従来フラットデッキプレートＡの補強リブ１３を切断し、撤去する必要がある。しかし、この作業には、多大の時間と手間を要する。
【０００７】
上記問題の解決策として、図８に示すように、従来フラットデッキプレートＡを上下反転させ、すなわち、補強リブ１３を上にした状態で使用する上下逆使いがある。
【０００８】
この従来フラットデッキプレートＡの上下逆使いによれば、補強リブ１３は、コンクリート１４内に入り込むので、耐火間仕切り壁１６を構築する場合において、補強リブ１３を切断し、撤去する必要がない。
【０００９】
しかしながら、この場合、図９に示すように、一方の従来フラットデッキプレートＡの嵌合部１１ｂに他方の従来フラットデッキプレートＡのフランジ１１ａを挿入して、従来フラットデッキプレートＡ同士を連結する際に、他方の従来フラットデッキプレートＡのフランジ１１ａがコンクリート１４の重量によって嵌合部１１ｂから抜け出て、従来フラットデッキプレートＡ同士の連結が解除されるおそれがあった。
【００１０】
そこで、この問題を解決するために、同図に示すように、ボルト１７によってフランジ１１ａを補強リブ１３の立上り部１３ａに固定していたが、ボルト１７による固定箇所が多数あるので、この作業に多大の時間と手間を要する。
【００１１】
特許文献１には、上下逆使い可能なデッキプレートが開示されている。以下、このデッキプレートを従来デッキプレートＢといい、図面を参照しながら説明する。
【００１２】
図１０は、従来デッキプレートＢを示す断面図である。
【００１３】
図１０に示すように、従来デッキプレートＢは、スラブ支持部（水平プレート）１９に立上り部２１を有する断面三角形状の補強リブ２０が形成されたものから構成されている。
【００１４】
従来デッキプレートＢの一方の端部には、第１係合リブ２２が形成され、他方の端部には、第２係合リブ２３が形成されている。
【００１５】
第１係合リブ２２は、立上り部２４と傾斜部２５と水平部２６とからなり、水平部２６の端部には、係合傾斜部２７と案内傾斜部２８とが形成されている。
【００１６】
第２係合リブ２３は、立上り部２９と乗り越え傾斜部３０と押圧傾斜部３１とからなっている。
【００１７】
従来デッキプレートＢ同士を、補強リブ２０を上にした状態で連結するには、図１１に示すように、一方の従来デッキプレート１８に他方の従来デッキプレート１８を接近させ、図１２に示すように、従来デッキプレートＢの係合傾斜部２７および案内傾斜部２８を一方の従来デッキプレートＢの乗り越え傾斜部３０上を、第１係合リブ２２の弾性力に抗して滑らせ、図１３に示すように、係合傾斜部２７を押圧傾斜部３１に当接させる。これによって、補強リブ２０を上にした状態で従来デッキプレートＢ同士が連結される。
【００１８】
一方、従来デッキプレートＢ同士を、補強リブ２０を下にした状態で連結するには、図１４に示すように、一方の従来デッキプレートＢに他方の従来デッキプレートＢを接近させ、図１５に示すように、他方の従来デッキプレートＢの乗り越え傾斜部３０を一方の従来デッキプレートＢの係合傾斜部２７および案内傾斜部２８上を、第１係合リブ２２の弾性力に抗して滑らせ、図１６に示すように、押圧傾斜部３１を係合傾斜部２７に当接させる。これによって、補強リブ２０を下にした状態で従来デッキプレートＢ同士が連結される。
【先行技術文献】
【特許文献】
【００１９】
【特許文献１】特開２０１７−１５０１３０号公報
【発明の概要】
【発明が解決しようとする課題】
【００２０】
上記従来デッキプレートＢによれば、補強リブ２０を上にした状態では、押圧傾斜部３１上に係合傾斜部２７が重なり、補強リブ２０を下にした状態では、係合傾斜部２７上に押圧傾斜部３１が重なっているが、以下のような問題があった。
【００２１】
（ａ）図１４から図１６に示すように、従来デッキプレートＢを補強リブ２０を下にした状態で連結する場合、従来デッキプレートＡのようにデッキプレートを連結する作業員等が確実にデッキプレートが連結されているか否かを従来デッキプレートＢの上から目視確認できない。また、オフィスビル、倉庫および商業施設等、デッキプレートを用いて床を構築する建築物の階高(床と下階床の間隔)は、３メートルから６メートル程度であり、従来デッキプレートＢの下から(階下から)は、目視で確認することができない。
（ｂ）従来デッキプレートＢ上に鉄筋を配する場合やコンクリートを打設する際に、従来デッキプレートＢ上には、鉄筋等の資材の仮置きの荷重、コンクリートの打設時の生コンクートの流し込み圧力、打設作業員の集中荷重等がかかる。このような資材の仮置きやコンクリート打設時等の荷重は、作業を順次進めていく都合上、デッキプレート上に偏在する場合が多い。特に、図１１から図１３に示すような従来デッキプレートＢを補強リブ２０を上にした状態で連結する場合、デッキプレートの下に床を支持する床梁であるＨ形鋼フランジがない一般の部位では、第２係合リブ２３側の従来デッキプレートＢの第２係合リブ２３と補強リブ２０の間のスラブ支持部１９に荷重が偏在すると、第２係合リブ２３の剛性が補強リブ２０の剛性と比べ大幅に小さいため、第２係合リブ２３が下に撓んで従来デッキプレートＢ同士の連結が解除されるおそれがある。
（ｃ）従来デッキプレートＢ同士は、係合傾斜部２７と押圧傾斜部３１との当接によって連結され、しかも、連結部は、スラブ支持部１９から離れているので、従来デッキプレートＢに水平方向の力が作用した場合、てこの原理により連結が解除される可能性がある。
（ｄ）コンクリート打設時に、生コンクリートを鉄筋や型枠の隅々まで充填させ、さらに、打設時に生コンクリートに含まれる空気を除去して空洞のない密実なコンクリートとするために、コンクリート用バイブレーターにより振動を与える際、バイブレーターが従来デッキプレートＢの第１係合リブ２２や第２係合リブ２３やその近傍に接触した場合、係合傾斜部２７と押圧傾斜部３１とは当接によって連結されているため、振動により従来デッキプレートＢ同士の連結が解除される可能性がある。
（ｅ）第１係合リブ２２および第２係合リブ２３は、何れも、板状で高さもあるので、従来デッキプレートＢの運搬時に変形しやすい。
（ｆ）従来デッキプレートＢを梁上に固定する場合、その端部は、プレスによりエンクローズ加工を施して板状に形成する必要があるが、第１係合リブ２２および第２係合リブ２３は、断面三角形状の補強リブ２０と異なり、何れも、板状で高さもあるので、エンクローズ加工がしにくい。
【００２２】
上記のうち特にデッキプレート同士の連結部の解除は、その程度が僅かであってもデッキプレート同士の隙間からノロ漏れが発生して硬化後のコンクリートの品質劣化を招いたり、また、コンクリート打設中に生コンクリートが隙間から落下して、階下に被害を与える事態を招いたりする可能性がある。
【００２３】
従って、この発明の目的は、補強リブを下にして使用する通常使用時は勿論、補強リブを上にして使用する上下逆使い時においても、デッキプレート同士の連結が解除されることなく、確実にデッキプレート同士を連結することができるデッキプレートを提供することにある。
【課題を解決するための手段】
【００２４】
この発明は、上記目的を達成するためになされたものであって、下記を特徴とする。
【００２５】
請求項１に記載の発明は、水平プレートに立上り部を介して補強リブが形成されているデッキプレートにおいて、一方の端部には、前記水平プレートを前記補強リブ側に折り曲げることによりフランジが形成され、他方の端部の前記補強リブの前記立上り部には、連結する別のデッキプレートの前記フランジが嵌合する嵌合部が形成され、前記嵌合部には、連結する別のデッキプレートの前記フランジが係合する係合部が形成されていることに特徴を有するものである。
【００２６】
請求項２に記載の発明は、請求項１に記載の発明において、前記フランジは、前記補強リブを下にした場合、Ｕ字状になるように形成されていることに特徴を有するものである。
【００２７】
請求項３に記載の発明は、請求項１または２に記載の発明において、前記係合部は、前記補強リブを下にした場合、逆Ｕ字状になるように形成されていることに特徴を有するものである。
【００２８】
請求項４に記載の発明は、請求項１から３の何れか１つに記載の発明において、前記デッキプレートは、フラットデッキプレートであることに特徴を有するものである。
【００２９】
請求項５に記載の発明は、請求項１から３の何れか１つに記載の発明において、前記デッキプレートは、合成スラブ用デッキプレートであることに特徴を有するものである。
【発明の効果】
【００３０】
この発明によれば、デッキプレートのフランジが嵌合する嵌合部に、連結する別のデッキプレートのフランジが係合する係合部を形成することによって、補強リブを上にした状態で使用する上下逆使い時においても、デッキプレート同士の連結の解除を防止することができる。
【００３１】
また、この発明によれば、デッキプレートに形成するフランジを、補強リブを下にした場合、Ｕ字状になるように形成し、嵌合部に形成する係合部を、補強リブを下にした場合、逆Ｕ字状になるように形成することにより、補強リブを上にした状態で使用する場合において、Ｕ字状の係合部と逆Ｕ字状のフランジとが噛み合うので、デッキプレート同士の連結の解除を確実に防止することができる。
【００３２】
また、この発明によれば、デッキプレートを補強リブを下にした状態、および、補強リブ３を上にした状態の何れの場合であっても、デッキプレートの連結状態をデッキプレート１の上から容易に確認することができる。
【００３３】
また、デッキプレートの補強リブを下にした場合は、剛性の高いリブの近傍に形成された嵌合部にフランジが連結し、また、デッキプレートの補強リブを上にした場合は、剛性の高いリブの近傍に形成された係合部にフランジが連結するため、デッキプレート上に荷重が偏在する場合であっても、デッキプレート同士の連結が解除されるおそれがない。
【００３４】
また、この発明によれば、係合部を有する嵌合部は、水平プレートから突出していないので、デッキプレート運搬時に変形するおそれはない。
【００３５】
また、この発明によれば、係合部を有する嵌合部の形状上、デッキプレート端部のエンクローズ加工がしにくいといったことはない。
【図面の簡単な説明】
【００３６】
【図１】この発明のデッキプレートを示す正面図である。
【図２】この発明のデッキプレートを、補強リブを下にして連結した状態を示す正面図である。
【図３】図２の部分拡大図である。
【図４】この発明のデッキプレートを、補強リブを上にして連結した状態を示す正面図である。
【図５】図４の部分拡大図である。
【図６】従来フラットデッキプレートＡを示す正面図である。
【図７】通常使用時における耐火間仕切り壁の構築法を示す断面図である。
【図８】上下逆使い時における耐火間仕切り壁の構築法を示す断面図である。
【図９】上下逆使い時におけるフランジの固定法を示す断面図である。
【図１０】従来デッキプレートＢを示す断面図である。
【図１１】補強リブを上にして、一方の従来デッキプレートＢに他方の従来デッキプレートＢを接近させた状態を示す断面図である。
【図１２】補強リブを上にして、一方の従来デッキプレートＢに他方の従来デッキプレートＢをさらに接近させた状態を示す断面図である。
【図１３】補強リブを上にして、一方の従来デッキプレートＢと他方の従来デッキプレートＢとを連結させた状態を示す断面図である。
【図１４】補強リブを下にして、一方の従来デッキプレートＢに他方の従来デッキプレートＢを接近させた状態を示す断面図である。
【図１５】補強リブを下にして、一方の従来デッキプレートＢに他方の従来デッキプレートＢをさらに接近させた状態を示す断面図である。
【図１６】補強リブを下にして、一方の従来デッキプレートＢと他方の従来デッキプレートＢとを連結させた状態を示す断面図である。
【発明を実施するための形態】
【００３７】
この発明のデッキプレートの一実施態様を、図面を参照しながら説明する。
【００３８】
以下に説明する例は、フラットデッキプレートであるが、合成スラブ用デッキプレートであってもよい。
【００３９】
図１は、この発明のデッキプレートを示す正面図である。
【００４０】
図１に示すように、この発明のデッキプレートとしてのフラットデッキプレート１は、水平プレート（スラブ支持部）２に、立上り部３ａを有する断面三角形状の補強リブ３が複数本（この例では、３本）、間隔をあけて平行に形成されたものから構成されている。
【００４１】
フラットデッキプレート１の一方の端部には、フランジ１ａが形成され、他方の端部の補強リブ３の立上がり部３ａには、係合部４を有する嵌合部１ｂが形成されている。
【００４２】
フランジ１ａは、図１に示すように、補強リブ３を下にした場合、水平プレート２を補強リブ３側にＵ字状に折り曲げることによって形成されている。なお、補強リブ３を上にした場合には、補強リブ３は、逆Ｕ字状になる。
【００４３】
嵌合部１ｂには、連結する別のフラットデッキプレート１のフランジ１ａが嵌合する。係合部４は、図１に示すように、補強リブ３を下にした場合、逆Ｕ字状になるように形成されている。なお、補強リブ３を上にした場合には、係合部４は、Ｕ字状になる。
【００４４】
補強リブ３を下にした状態（通常使用時）において、フラットデッキプレート１同士を連結するには、図２および図３に示すように、一方のフラットデッキプレート１の嵌合部１ｂに他方のフラットデッキプレート１のフランジ１ａを挿入する。
【００４５】
一方、補強リブ３を上にした状態（上下逆使い時）において、フラットデッキプレート１同士を連結するには、図４および図５に示すように、一方のフラットデッキプレート１の係合部４に他方のフラットデッキプレート１のフランジ１ａを係合させる。この場合、係合部４は、Ｕ字状で、フランジ１ａは、逆Ｕ字状であり、これらが噛み合っているので、図１に示すように、フラットデッキプレート１上に鉄筋（図示せず）を配し、この後、コンクリート５を打設して鉄筋コンクリート床６を構築する場合、他方のフラットデッキプレート１のフランジ１ａがコンクリート５の重量によって係合部４から外れて、フラットデッキプレート１同士の連結が解除されるおそれはない。
【００４６】
以上説明したように、この発明によれば、補強リブ３を下にした状態で使用する通常使用時は勿論、補強リブ３を上にした状態で使用する上下逆使い時においてもフラットデッキプレート１同士の連結が解除されるおそれがない。
【００４７】
すなわち、フラットデッキプレート１を補強リブ３を下にした状態で連結する場合には、フランジ１ａが嵌合部１ｂに嵌合する結果、フラットデッキプレート１同士の連結が解除されるおそれはない。
【００４８】
一方、フラットデッキプレート１を補強リブ３を上にした状態で連結する場合には、Ｕ字状の係合部４と逆Ｕ字状のフランジ１ａとが噛み合うので、鉄筋コンクリート床６を構築する際、打設コンクリート５の重量によってフラットデッキプレート１同士の連結が解除されるおそれはない。
【００４９】
また、この発明によれば、フラットデッキプレート１を補強リブ３を下にした状態、および、補強リブ３を上にした状態の何れの場合であっても、フラットデッキプレート１の連結状態をフラットデッキプレート１の上から容易に確認することができる。
【００５０】
また、この発明によれば、デッキプレートの補強リブ３を下にした場合は、剛性の高い補強リブ３の近傍に形成された嵌合部１ｂにフランジ１ａが連結し、また、デッキプレートの補強リブ３を上にした場合は、剛性の補強リブ３の近傍に形成された係合部４にフランジ１ａが連結するため、デッキプレート上に荷重が偏在する場合であっても、デッキプレート同士の連結が解除されるおそれがない。
【００５１】
また、この発明によれば、係合部４を有する嵌合部１ｂは、水平プレート２から突出していないので、デッキプレート運搬時に変形するおそれはない。
【００５２】
また、この発明によれば、係合部４を有する嵌合部１ｂの形状上、デッキプレート端部のエンクローズ加工がしにくいといったことはない。
【００５３】
さらに、補強リブ３を上にした状態（上下逆使い時）においては、打設コンクリート５の固化後に、補強リブ３がコンクリート５に深く食い込んで、コンクリート５とデッキプレートが一体化してコンクリート５と鋼の合成構造となることから、合成スラブ用デッキプレートとして利用することができる。
【符号の説明】
【００５４】
１：フラットデッキプレート
１ａ：フランジ
１ｂ：嵌合部
２：水平プレート
３：補強リブ
３ａ：立上り部
４：係合部
５：コンクリート
６：鉄筋コンクリート床
１２：水平プレート
１３：補強リブ
１４：コンクリート
１５：鉄筋コンクリート床
１６：耐火間仕切り壁
１７：ボルト
１９：スラブ支持部
２０：補強リブ
２１：立上り部
２２：第１係合リブ
２３：第２係合リブ
２４：立上り部
２５：傾斜部
２６：水平部
２７：係合傾斜部
２８：案内傾斜部
２９：立上り部
３０：乗り換え傾斜部
３１：押圧傾斜部
【図１】
2019143426.tif 000003
【図２】
2019143426.tif 000004
【図３】
2019143426.tif 000005
【図４】
2019143426.tif 000006
【図５】
2019143426.tif 000007
【図６】
2019143426.tif 000008
【図７】
2019143426.tif 000009
【図８】
2019143426.tif 000010
【図９】
2019143426.tif 000011
【図１０】
2019143426.tif 000012
【図１１】
2019143426.tif 000013
【図１２】
2019143426.tif 000014
【図１３】
2019143426.tif 000015
【図１４】
2019143426.tif 000016
【図１５】
2019143426.tif 000017
【図１６】
2019143426.tif 000018